(57)【要約】【課題】被溶解物と溶解物とを容易に混合できる容器を提供する。【解決手段】天部７とその天部７の周縁から垂直下方に延設された側部１４とを有する蓋部２と、その蓋部２を嵌め付ける容器本体３とを備え、容器本体３には溶解物６が充填される一方、被溶解物５を溶解物６に投入可能に蓋部内側に保持する内蓋部４を備える容器１である。【選択図】図１
2007001650.tif 000002
【特許請求の範囲】
【請求項１】
天部と該天部の周縁から垂直下方に延設された側部とを有する蓋部と、該蓋部を嵌め付ける容器本体とを備える容器において、
前記容器本体には溶解物が充填される一方、被溶解物を前記溶解物に投入可能に前記蓋部内側に保持する内蓋部を備えることを特徴とする容器。
【請求項２】
前記被溶解物が、包装部材で内包され、該包装部材が前記内蓋部と保護部材とで構成されることを特徴とする、請求項１に記載の容器。
【請求項３】
前記包装部材に前記被溶解物を内包する前記内蓋部と前記保護部材とがバリア性を有することを特徴とする、請求項１に記載の容器。
【請求項４】
前記天部が可撓性を有することを特徴とする、請求項１に記載の容器。
【請求項５】
前記天部の外周の強度を大きくするために前記天部の外周近傍の厚みを大きくする補強部を設けることを特徴とする、請求項１に記載の容器。
【請求項６】
前記容器本体の上部に、前記包装部材が前記容器本体内に落下防止するためのストッパーを設けることを特徴とする、請求項１に記載の容器。
【請求項７】
前記天部から前記側部を経て、前記容器本体の側部にわたってシール部を設けることを特徴とする、請求項１に記載の容器。
【発明の詳細な説明】
【技術分野】
【０００１】
本発明は、天部と天部の周縁から垂直下方に延設された側部とを有する蓋部と、蓋部を嵌め付ける容器本体とを備える容器に関する。
【背景技術】
【０００２】
天部と天部の周縁から垂直下方に延設された側部とを有する蓋部と、蓋部を嵌め付ける容器本体があり、これとは別に被溶解物を内包する容器がそれぞれあり、容器本体の蓋部を開封させ、被溶解物を内包する容器を開封させて、この被溶解物を、溶解物を充填している容器本体内に投入し、容器本体の蓋部を閉じて、必要に応じて、容器本体毎振ることで、被溶解物を溶解物中に溶解させていた。
【発明の開示】
【発明が解決しようとする課題】
【０００３】
しかし、このような容器では、被溶解物を内包する容器と溶解物を充填した容器とを別々に保持しなければならず、被溶解物を忘れてしまったり、遺失したりするなどの問題があった。
そこでこの発明の目的は、被溶解物と溶解物とを容易に混合できる容器を提供することにある。
【課題を解決するための手段】
【０００４】
このため請求項１に記載の発明は、天部と該天部の周縁から垂直下方に延設された側部とを有する蓋部と、該蓋部を嵌め付ける容器本体とを備える容器において、前記容器本体には溶解物が充填される一方、被溶解物を前記溶解物に投入可能に前記蓋部内側に保持する内蓋部を備えることを特徴とする。
【０００５】
請求項２に記載の発明は、請求項１に記載の容器において、前記被溶解物が、包装部材で内包され、該包装部材が前記内蓋部と保護部材とで構成されることを特徴とする。
【０００６】
請求項３に記載の発明は、請求項１に記載の容器において、前記包装部材に前記被溶解物を内包する前記内蓋部と前記保護部材とがバリア性を有することを特徴とする。
【０００７】
請求項４に記載の発明は、請求項１に記載の容器において、前記天部が可撓性を有することを特徴とする。
【０００８】
請求項５に記載の発明は、請求項１に記載の容器において、前記天部の外周の強度を大きくするために前記天部の外周近傍の厚みを大きくする補強部を設けることを特徴とする。
【０００９】
請求項６に記載の発明は、請求項１に記載の容器において、前記容器本体の上部に、前記包装部材が前記容器本体内に落下防止するためのストッパーを設けることを特徴とする。
【００１０】
請求項７に記載の発明は、請求項１に記載の容器において、前記天部から前記側部を経て、前記容器本体の側部にわたってシール部を設けることを特徴とする。
【発明の効果】
【００１１】
請求項１に記載の発明によれば、天部とその天部の周縁から垂直下方に延設された側部とを有する蓋部と、その蓋部を嵌め付ける容器本体とを備える容器において、容器本体には溶解物が充填される一方、被溶解物を溶解物に投入可能に蓋部内側に保持する内蓋部を備えるので、被溶解物と溶解物とを容易に混合できる容器を提供することができる。
【００１２】
請求項２に記載の発明によれば、被溶解物が、包装部材で内包され、包装部材が内蓋部と保護部材とで構成されるので、被溶解物の形状に関係なく適用可能な容器を提供することができる。
【００１３】
請求項３に記載の発明によれば、包装部材に被溶解物を内包する内蓋部と保護部材とがバリア性を有することができる。
【００１４】
請求項４に記載の発明によれば、天部が可撓性を有するので、小さい力で、被溶解物を容器本体内の被溶解物に投入可能な容器を提供できる。
【００１５】
請求項５に記載の発明によれば、天部の外周の強度を大きくするために天部の外周近傍の厚みを大きくする補強部を設けるので、天部が壊れにくい容器を提供できる。
【００１６】
請求項６に記載の発明によれば、容器本体の上部に、包装部材が容器本体内に落下防止するためのストッパーを設けるので、誤って被溶解物を構成する底材及び天部ごと容器本体に投入させることを防止できる。また、ストッパーを外すことで、誤って被溶解物を構成する底材及び天部を入れ替えることが可能となり、リユース可能な容器を提供することができる。
【００１７】
請求項７に記載の発明によれば、天部から側部を経て、容器本体の側部にわたってシール部を設けるので、悪戯に天部を押されて、天部が破断されない容器を提供することができる。
【発明を実施するための最良の形態】
【００１８】
図１は本発明の容器の一例として、溶解物６及び溶解物６に溶解される被溶解物５とを備えた容器１の断面図である。
容器１は、蓋部２と容器本体３とで構成される。
【００１９】
蓋部２は、蓋部２の天面にある可撓性の天部７、天部７の周縁から垂直下方に延設された側部１４、側部１４内周にある雌ネジ９から構成され、蓋部２の内部には、被溶解物５を内包する包装部材１３を形成している。
【００２０】
容器本体３は、容器本体３の上部外周に雄ネジ８を設ける。容器本体３内には、被溶解物５を溶解させるための溶解物６が充填されている。雄ネジ８は、容器本体３の上部外周に、蓋部２の側部１４内周に形成される雌ネジ９と係合するために設けてある。
更に、蓋部２の天部７から側部１４を経て容器本体３の側部にわたって、熱収縮させたシール部１１を設けている。
【００２１】
図２には、蓋部２の拡大断面図を示している。
蓋部２の天部７を手で押し出すときに、天部７の外周に応力が集中するため、天部７の外周から破断するのを防止するために天部７外周近傍を天部７の中心よりも厚みを大きく施した補強部１５を備える。
【００２２】
蓋部２の材質は、ポリエチレン（ＰＥ）、ポリプロピレン（ＰＰ）、から構成され、雌ネジ９、側部１４及び補強部１５とともに一体成形される。
また、天部７の材質は、ＰＥ、ＰＰ、及びポリエチレンテレフタレート（ＰＥＴ）などのエラストマーで形成され、シール部１１は、ＰＥ、ＰＰ、ＰＥＴなどの熱可塑性樹脂で形成される。
更に、容器本体３は、熱可塑性樹脂で形成される。
【００２３】
また、天部７を押し出したときに、被溶解物５を内包した包装部材１３が誤って容器本体３内に落下することを防ぐために、容器本体３の上部円周近傍に凹型円形で中空のストッパー１２を設ける。
ストッパー１２は、容器本体３の上部、内側面上周、容器本体３の内側面上周、及び容器本体３の内側面上周の下端から水平に内側に延設され、容器本体３の上部、及び内側面上周と嵌合させ、かつ容器本体３にある雄ネジ８の係合部の一部として蓋部２の雌ネジ９と係合している。
なお、ストッパー１２を構成する材料は、ＰＥ、ＰＰなどの熱可塑性樹脂で形成される。
【００２４】
図３には、被溶解物５を内包する包装部材１３の構成について説明する。
包装部材１３は、内蓋部４と保護部材１０とで構成されるプレススルーパック（ＰＴＰ）包装である。
ＰＴＰ包装は、主に医薬品で用いられる錠剤やカプセルの包装に使用される。
保護部材１０は、防湿性を向上させるために無延伸ポリプロピレンシート（ＣＰＰ）、非晶質のポリエチレンテレフタレートシート（ＡＰＥＴ）、及び環状ポリオレフィン層を設けたシート、ポリ塩化ビニルシート（ＰＶＣ）、及びポリ塩化ビニリデン（ＰＶＤＣ）などが使用される。
一般に、ＰＶＣは、成形機による成形性、透明性、カット性（切り離し性）等が優れており、ＰＶＤＣは、ＰＶＣの長所に加えて水蒸気バリア性も高いので、利用価値が高いが、環境面を考慮した上で、現在は、ポリエチレン（ＰＥ）、ＣＰＰ、及びＡＰＥＴなどを積層した包材が使用されている。
なお、これらのシートを積層させ、凹みのあるポケット１６を形成させるには、公知のシート成形法が利用できる。例えば、真空成形法、圧空成形法、プラグアシストを利用した真空成形法、圧空成形法、真空・圧空成形等により、錠剤、カプセル、食品、及びガラスアンプル等を収納するためのポケット１６を成形する。
また、容器本体３内にある被溶解物５による湿気の影響を考慮して、バリア性のあるアルミニウム箔を一層設けた構成にするとなおよい。
【００２５】
内蓋部４は、バリア性のあるアルミニウム箔１８の上面に、ヒートシール層１７をコーティングしたシートで構成される。
なお、蓋部２は、保護部材１０のポケット１６を指で押したときに容易に破断でき、被溶解物５を容易に取り出すことができ、かつ、防湿性やガスバリア性等、被溶解物５を保護するための物性を有する材質で、更に保護部材１０とヒートシール性のあるものが使用される。
なお、内蓋部４及び保護部材１０をそれぞれ形成する層の一部にアルミニウム箔１８を設けた場合、包装部材１３内に内包している被溶解物５が特定できないため、必要に応じて印刷層を設け、この印刷層を保護する保護層を設けてもよい。
また、蓋材としては、アルミニウム箔以外の材質でも、保護部材１０のポケット１６を指で押して被溶解物５を容易に取り出すことができ、被溶解物５を保護するための物性を有する材質であってもよい。
【００２６】
内蓋部４と保護部材１０とを貼着させるには、保護部材１０内のポケット１６に被溶解物５を充填させ、保護部材１０と内蓋部４のヒートシール層１７とをヒートシールにて被溶解物５を内包させ、ＰＴＰ包装を形成させる。
なお、この包装部材１３に内包されている被溶解物５を取り出すときは、保護部材１０のポケット１６から指で押し出すことによって内蓋部４を破断して取り出せるものである。
【００２７】
容器１の成形方法について説明する。
熱可塑性樹脂から射出成形によって、開口部、開口部側面の雄ネジ、そして側面下方には同一断面積で円筒状の胴体部を形成させ、胴体部の下部には半球状の底部を有する成形前状態を形成させる。次に、胴体部をブロー金型で二軸延伸成形射出成形させることで容器本体３を図１の容器本体３を形成させ、この容器本体３の中に溶解物６を注入する。
次に、容器本体３上部円周から容器本体３内側面上周及び、容器本体３の内側面上周の下端から水平に内側に延設させ、中空に形成したストッパー１２を取り付ける。
また、ストッパー１２の中空部分と水平な位置にあるストッパー１２を支持台として、ストッパー１２の上部に被溶解物５を内蓋部４と保護部材１０とで内包された包装部材１３の内蓋部４を下側にして載せる。
また、蓋部２を構成する天部７、側部１４、及び補強部１５とを一体に射出成形させ、蓋部２を容器本体３の開口部を覆うようにして容器本体３の雄ネジ８と蓋部２の雌ネジ９とで係合させる。
最後に、シール部１１を蓋部２の天部７、及び側部１４を経て容器本体３の側部にわたって熱収縮させることにより、容器１が形成される。
【００２８】
容器１の使用方法について説明する。
最初に、容器１のシール部１１を剥離させ、蓋部２を露出させる。次に、可撓性のある天部７を上から指で押し込むと、天部７が保護部材１０に当接して、更に天部７を押し込むと保護部材１０が押し込まれる。この保護部材１０がさらに被溶解物５に当接し、更に天部７を押し込むと内蓋部４が破断されて、被溶解物５が容器本体３内の溶解物６に投入される（図４参照）。なお、必要に応じて容器１を振ることにより、被溶解物５を早く溶解させる。そして、被溶解物５が溶解物６に溶けた後、蓋部２を回転させながら容器本体３から分離し、包装部材１３及びストッパー１２を取り出すことによって飲用可能な状態となる。
【００２９】
なお、使用後の容器１は、再使用してもよい。この場合、容器本体３に溶解物６を再充填し、ストッパー１２を嵌め込み、被溶解物５を内包する新たな包装部材１３をストッパー１２上に載置し、蓋部２の雌ネジ９と容器本体３の雄ネジ８とを係合させる。それ以降の操作については、前述しているので省略する。
【００３０】
以上、詳述したように、この発明の容器１は、天部７とその天部７の周縁から垂直下方に延設した側部１４とを有する蓋部２と、その蓋部２を嵌め付ける容器本体３とを備え、容器本体３には溶解物６が充填される一方、被溶解物５を溶解物６に投入可能に蓋部２内側に保持する内蓋部４を備え、被溶解物５が、包装部材１３で内包され、包装部材１３が内蓋部４と保護部材１０とで構成され、包装部材１３に被溶解物５を内包する内蓋部４と保護部材１０とがバリア性を有する。
更に、天部７の外周の強度を大きくするために天部７の外周近傍の厚みを大きくする補強部１５を設け、容器本体３の上部に、包装部材１３が容器本体３内に落下防止するためのストッパー１２を設ける。
加えて、天部７から側部１４を経て、容器本体３の側部にわたってシール部１１を設ける。
【００３１】
なお、上述の例では、容器の一例として、熱可塑性樹脂の容器について説明したが、容器本体は内容物を収容できるものであれば、材料は特に限定しない。
【図面の簡単な説明】
【００３２】
【図１】本発明の容器を示す断面図である。
【図２】図１の蓋部の拡大断面図である。
【図３】図１の包装部材の拡大断面図である。
【図４】図１の状態から被溶解物を容器本体内に投入したときの状態図である。
【符号の説明】
【００３３】
１    容器
２    蓋部
３    容器本体
４    内蓋部
５    被溶解物
６    溶解物
７    天部
８    雄ネジ
９    雌ネジ
１０    保護部材
１１    シール部
１２    ストッパー
１３    包装部材
１４    側部
１５    補強部
１６    ポケット
１７    ヒートシール層
１８    アルミニウム箔
【図１】
2007001650.tif 000003
【図２】
2007001650.tif 000004
【図３】
2007001650.tif 000005
【図４】
2007001650.tif 000006